(57)【要約】  キャップ付きコネクタは、液体流路に設けられた接続部を備えるコネクタと、前記液体流路のプライミングのためのキャップと、を有し、前記キャップは、前記接続部に接続可能な接続口から内腔を介して排出口まで連なる流路を形成するハウジングと、前記流路に設けられるとともに気体を透過させ且つ液体を透過させないフィルタと、を有し、前記ハウジングは、前記接続口と前記接続部との非接続状態において前記キャップが前記コネクタに取付けられた取付け状態を保持するように前記コネクタと係合可能な第１係合部を有する。
2020084901.tif 000002
【特許請求の範囲】
【請求項１】
液体流路に設けられた接続部を備えるコネクタと、
前記液体流路のプライミングのためのキャップと、を有し、
前記キャップは、
前記接続部に接続可能な接続口から内腔を介して排出口まで連なる流路を形成するハウジングと、
前記流路に設けられるとともに気体を透過させ且つ液体を透過させないフィルタと、を有し、
前記ハウジングは、前記接続口と前記接続部との非接続状態において前記キャップが前記コネクタに取付けられた取付け状態を保持するように前記コネクタと係合可能な第１係合部を有する、
キャップ付きコネクタ。
【請求項２】
前記ハウジングは、前記接続口と前記接続部との接続状態において前記取付け状態を保持するように前記コネクタと係合可能な第２係合部を有する、請求項１に記載のキャップ付きコネクタ。
【請求項３】
前記コネクタは、前記接続部に揺動可能に連結する係合片を有し、
前記係合片は、前記接続状態において前記取付け状態を保持するように前記第２係合部と係合可能な係合部を有するとともに、前記接続部に対する揺動によって前記係合部と前記第２係合部との係合を解除可能である、請求項２に記載のキャップ付きコネクタ。
【請求項４】
前記ハウジングは、前記非接続状態における前記取付け状態において前記接続部を包囲する包囲筒を有する、請求項１〜３のいずれか一項に記載のキャップ付きコネクタ。
【請求項５】
前記第１係合部は、前記包囲筒に設けられている、請求項４に記載のキャップ付きコネクタ。
【請求項６】
前記ハウジングは、前記非接続状態における前記取付け状態において前記包囲筒の軸心を中心とする前記コネクタに対する前記ハウジングの回転を阻止するように前記コネクタと係合可能な回転阻止部を有する、請求項４又は５に記載のキャップ付きコネクタ。
【請求項７】
前記接続部は、接続筒を有し、
前記ハウジングは、前記接続口を備えるとともに前記接続口を前記接続部に接続するために前記接続筒に挿入可能な挿入筒を有する、
請求項１〜６のいずれか一項に記載のキャップ付き医療用コネクタ。
【請求項８】
液体流路のプライミングのために、前記液体流路に設けられた接続部を備えるコネクタに取付けられるキャップであって、
前記接続部に接続可能な接続口から内腔を介して排出口まで連なる流路を形成するハウジングと、
前記流路に設けられるとともに気体を透過させ且つ液体を透過させないフィルタと、を有し、
前記ハウジングは、
前記接続口と前記接続部との非接続状態において前記キャップが前記コネクタに取付けられた取付け状態を保持するように前記コネクタと係合可能な第１係合部と、
前記接続口と前記接続部との接続状態において前記取付け状態を保持するように前記コネクタと係合可能な第２係合部と、を有する、
キャップ。
【請求項９】
前記ハウジングは、前記非接続状態における前記取付け状態において前記接続部を包囲する包囲筒を有し、
前記第１係合部及び前記第２係合部は、前記包囲筒の軸方向に並べて配置されている、請求項８に記載のキャップ。
【請求項１０】
前記第１係合部及び前記第２係合部は、それぞれ、前記包囲筒の外周面に設けられている、請求項９に記載のキャップ。
【請求項１１】
前記ハウジングは、前記非接続状態における前記取付け状態において前記包囲筒の軸心を中心とする前記コネクタに対する前記ハウジングの回転を阻止するように前記コネクタと係合可能な回転阻止部を有する、請求項９又は１０に記載のキャップ。
【請求項１２】
液体流路に設けられた接続部を備えるコネクタと、
前記液体流路のプライミングのためのキャップと、を有し、
前記キャップは、
前記接続部に接続可能な接続口から内腔を介して排出口まで連なる流路を形成するハウジングと、
前記流路に設けられるとともに気体を透過させ且つ液体を透過させないフィルタと、を有し、
前記ハウジングは、前記接続口と前記接続部との非接続状態において前記キャップが前記コネクタに取付けられた取付け状態を保持するように前記コネクタと係合可能な第１係合部を有する、
キャップ付きコネクタの使用方法であって、
前記非接続状態において前記取付け状態を保持するように前記第１係合部が前記コネクタと係合した第１係合状態から、前記接続口と前記接続部との接続状態にする接続ステップと、
前記液体流路のプライミングが終了するまで前記接続状態を保持するプライミングステップと、
前記接続状態から前記キャップを前記コネクタから取外す取外しステップと、を有する、
キャップ付きコネクタの使用方法。
【発明の詳細な説明】
【技術分野】
【０００１】
本開示は、キャップ付きコネクタ、キャップ、及びキャップ付きコネクタの使用方法に関する。
【背景技術】
【０００２】
従来から、薬液等の液体を医療用のチューブを通して体内へ送るようにした輸液ラインに他の輸液ラインを接続して、メインの輸液ラインを流れる液体に抗がん剤等の他の液体を混注することが行われている。この場合、他の輸液ラインの遠位端には接続部を有するコネクタが設けられ、この接続部をメインの輸液ラインの途中に設けられた混注部に接続することで、他の輸液ラインはメインの輸液ラインに接続される。【０００３】
メインの輸液ラインに他の輸液ラインを接続する際には、他の輸液ラインのチューブ内の空気が患者の体内へ送られることを防止するために、当該接続の前にチューブ内の空気を液体に置換するプライミングが行われる。プライミングには種々の方法があるが、他の輸液ラインの遠位端に設けられるコネクタにプライミング用のキャップを接続し、このキャップを通じて液体流路内の空気のみを外部に排出し、液体流路内を液体で満たすようにした技術が開発されている。【０００４】
このようなキャップとして、例えば特許文献１には、コネクタの接続部に接続可能な接続口から内腔を介して排出口まで連なる流路を形成するハウジングと、上記流路に設けられるとともに気体を透過させ且つ液体を透過させないフィルタと、を有するものが記載されている。このキャップのハウジングの外周面には、円環状の段部が設けられており、コネクタには、キャップがコネクタに取付けられた取付け状態を保持するように上記段部と係合可能な係合片が設けられている。コネクタの係合片がキャップの段部と係合するようにキャップをコネクタに取付けると、その取付けに伴ってキャップのハウジングの接続口がコネクタの接続部に接続され、その接続状態が保持される。この状態でチューブ内の空気が接続口を介してキャップの流路に流入すると、フィルタを通してこの空気を外部に排出することができる。そして、チューブ内の空気が全て排出されることによりプライミングが完了する。
【先行技術文献】
【特許文献】
【０００５】
【特許文献１】特開２０１７−２００５３４号公報
【発明の概要】
【発明が解決しようとする課題】
【０００６】
特許文献１に記載されるようなキャップでは、プライミングを行う際にキャップを新たにコネクタに取付ける必要がある。しかし、より簡易な操作でプライミングを行うことができれば都合が良い。【０００７】
本開示は、このような点に鑑み、簡易な操作でプライミングを行うことができる、キャップ付きコネクタ、キャップ、及びキャップ付きコネクタの使用方法を提供することを目的とする。
【課題を解決するための手段】
【０００８】
本発明の一態様としてのキャップ付きコネクタは、
液体流路に設けられた接続部を備えるコネクタと、
前記液体流路のプライミングのためのキャップと、を有し、
前記キャップは、
前記接続部に接続可能な接続口から内腔を介して排出口まで連なる流路を形成するハウジングと、
前記流路に設けられるとともに気体を透過させ且つ液体を透過させないフィルタと、を有し、
前記ハウジングは、前記接続口と前記接続部との非接続状態において前記キャップが前記コネクタに取付けられた取付け状態を保持するように前記コネクタと係合可能な第１係合部を有する。【０００９】
本発明の１つの実施形態として、前記ハウジングは、前記接続口と前記接続部との接続状態において前記取付け状態を保持するように前記コネクタと係合可能な第２係合部を有する。【００１０】
本発明の１つの実施形態として、
前記コネクタは、前記接続部に揺動可能に連結する係合片を有し、
前記係合片は、前記接続状態において前記取付け状態を保持するように前記第２係合部と係合可能な係合部を有するとともに、前記接続部に対する揺動によって前記係合部と前記第２係合部との係合を解除可能である。【００１１】
本発明の１つの実施形態として、前記係合片は、前記係合部と前記第２係合部との係合を解除するための操作を受ける操作部を有する。【００１２】
本発明の１つの実施形態として、前記係合片の前記係合部は、前記非接続状態において前記取付け状態を保持するように前記第１係合部と係合可能である。【００１３】
本発明の１つの実施形態として、前記ハウジングは、前記非接続状態における前記取付け状態において前記接続部を包囲する包囲筒を有する。【００１４】
本発明の１つの実施形態として、前記第１係合部は、前記包囲筒に設けられている。【００１５】
本発明の１つの実施形態として、前記第１係合部は、前記包囲筒の外周面に設けられている。【００１６】
本発明の１つの実施形態として、前記第１係合部は、凸部で構成されている。【００１７】
本発明の１つの実施形態として、前記ハウジングは、前記非接続状態における前記取付け状態において前記包囲筒の軸心を中心とする前記コネクタに対する前記ハウジングの回転を阻止するように前記コネクタと係合可能な回転阻止部を有する。【００１８】
本発明の１つの実施形態として、
前記接続部は、接続筒を有し、
前記ハウジングは、前記接続口を備えるとともに前記接続口を前記接続部に接続するために前記接続筒に挿入可能な挿入筒を有する。【００１９】
本発明の一態様としてのキャップは、
液体流路のプライミングのために、前記液体流路に設けられた接続部を備えるコネクタに取付けられるキャップであって、
前記接続部に接続可能な接続口から内腔を介して排出口まで連なる流路を形成するハウジングと、
前記流路に設けられるとともに気体を透過させ且つ液体を透過させないフィルタと、を有し、
前記ハウジングは、
前記接続口と前記接続部との非接続状態において前記キャップが前記コネクタに取付けられた取付け状態を保持するように前記コネクタと係合可能な第１係合部と、
前記接続口と前記接続部との接続状態において前記取付け状態を保持するように前記コネクタと係合可能な第２係合部と、を有する。【００２０】
本発明の１つの実施形態として、
前記ハウジングは、前記非接続状態における前記取付け状態において前記接続部を包囲する包囲筒を有し、
前記第１係合部及び前記第２係合部は、前記包囲筒の軸方向に並べて配置されている。【００２１】
本発明の１つの実施形態として、前記第１係合部及び前記第２係合部は、それぞれ、前記包囲筒の外周面に設けられている。【００２２】
本発明の１つの実施形態として、前記第１係合部及び前記第２係合部は、それぞれ、凸部で構成されている。【００２３】
本発明の１つの実施形態として、前記ハウジングは、前記非接続状態における前記取付け状態において前記包囲筒の軸心を中心とする前記コネクタに対する前記ハウジングの回転を阻止するように前記コネクタと係合可能な回転阻止部を有する。【００２４】
本発明の一態様としてのキャップ付きコネクタの使用方法は、
液体流路に設けられた接続部を備えるコネクタと、
前記液体流路のプライミングのためのキャップと、を有し、
前記キャップは、
前記接続部に接続可能な接続口から内腔を介して排出口まで連なる流路を形成するハウジングと、
前記流路に設けられるとともに気体を透過させ且つ液体を透過させないフィルタと、を有し、
前記ハウジングは、前記接続口と前記接続部との非接続状態において前記キャップが前記コネクタに取付けられた取付け状態を保持するように前記コネクタと係合可能な第１係合部を有する、
キャップ付きコネクタの使用方法であって、
前記非接続状態において前記取付け状態を保持するように前記第１係合部が前記コネクタと係合した第１係合状態から、前記接続口と前記接続部との接続状態にする接続ステップと、
前記液体流路のプライミングが終了するまで前記接続状態を保持するプライミングステップと、
前記接続状態から前記キャップを前記コネクタから取外す取外しステップと、を有する。
【発明の効果】
【００２５】
本開示によれば、簡易な操作でプライミングを行うことができる、キャップ付きコネクタ、キャップ、及びキャップ付きコネクタの使用方法を提供することができる。
【図面の簡単な説明】
【００２６】
【図１】本発明の一実施形態に係るキャップ付きコネクタを輸液ラインに設けた状態を示す側面図である。
【図２】図１に示すコネクタの斜視図である。
【図３】図２に示すコネクタの斜視断面図である。
【図４】図３に示す状態から接続部を開放したときの状態を示す斜視断面図である。
【図５】図１に示すキャップの斜視図である。
【図６】図５に示すキャップの斜視断面図である。
【図７】図５に示すキャップの分解斜視図である。
【図８】図７と異なる角度から視たキャップの分解斜視図である。
【図９】図１に示すキャップ付きコネクタの側面図である。
【図１０】図９に示すキャップ付きコネクタの断面図である。
【図１１】図９に示す第１係合状態から第２係合状態にしたときの状態を示す側面図である。
【図１２】図１１に示すキャップ付きコネクタの断面図である。
【図１３】図１２に示す第２係合状態からプライミングが終了し、キャップをコネクタから取外したときの状態を示す断面図である。
【図１４】本発明の一実施形態に係るキャップ付きコネクタの変形例を示す斜視図である。
【図１５】本発明の一実施形態に係るキャップ付きコネクタの使用方法を示すフローチャートである。
【発明を実施するための形態】
【００２７】
以下、図面を参照して、本発明の一実施形態に係るキャップ付きコネクタ、キャップ、及びキャップ付きコネクタの使用方法について、詳細に例示説明する。
【００２８】
まず、本発明の一実施形態に係るキャップ付きコネクタ及びキャップについて、詳細に例示説明する。
【００２９】
図１に示すように、本実施形態に係るキャップ付きコネクタ１は、コネクタ２とキャップ３（すなわち、本実施形態に係るキャップ）とを有している。コネクタ２は、液体流路４に設けられた接続部５（図３等参照）を有している。キャップ３は、液体流路４のプライミングのために用いられる。液体流路４は、本実施形態では後述するように人体に液体を供給するためのものである。しかし、液体流路４は、人体以外の生体に液体を供給するためのものであってもよい。
【００３０】
図１に示すように、本実施形態では、キャップ付きコネクタ１は、輸液ライン６に設けられている。したがって、液体流路４は、輸液ライン６における液体流路４として構成されている。しかし、キャップ付きコネクタ１は、輸液ライン６に設けられるものに限らず、例えば、シリンジの注出口に設けられてもよい。この場合、液体流路４は、シリンジにおける液体流路４として構成される。
【００３１】
図１に示す輸液ライン６は、患者に薬液等の液体を投与するメインの輸液ライン（不図示）に接続されて、メインの輸液ラインに抗がん剤を混注するためのものである。輸液ライン６は、調剤済みの抗がん剤を収容する輸液バッグ７、輸液バッグ７に輸液バッグ用コネクタ８を介して接続される医療用のチューブ９、及びチューブ９の遠位端に設けられたキャップ付きコネクタ１を有している。メインの輸液ラインの途中には混注部が設けられ、この混注部に輸液ライン６のコネクタ２の接続部５を接続することにより、輸液ライン６から抗がん剤をメインの輸液ラインに混注することができる。このように、輸液ライン６の液体流路４は、輸液バッグ用コネクタ８内の流路と、チューブ９内の流路と、コネクタ２内の流路と、で構成されている。なお、符号１０は、輸液ライン６から抗がん剤を投与するときに流体流路４を開放する固定式のクレンメを示している。
【００３２】
輸液ライン６をメインの輸液ラインに接続する前に、輸液ライン６の液体流路４内の空気が患者の体内へ送られることを防止するために、輸液ライン６の液体流路４内の空気を抗がん剤に置換するプライミングが行われる。プライミングは輸液ライン６の液体流路４の遠位端に位置するキャップ付きコネクタ１を用いることにより、容易かつ安全に行うことができる。
【００３３】
図２、図３に示すように、コネクタ２は、内部に流路を形成する筒状の基部１１を有している。基部１１は、近位端から遠位端に向かう軸心を有している。基部１１は、チューブ９（図１参照）の遠位端に適宜の手段で接続された筒状のチューブ接続部１１ａと、チューブ接続部１１ａの遠位端に一体に連なるとともにチューブ接続部１１ａより拡径した外径を有する中空円板状の基部本体１１ｂと、基部本体１１ｂの遠位端に一体に連なるとともに基部本体１１ｂより縮径した外径を有する接続筒１１ｃと、で構成されている。接続筒１１ｃは、遠位端において内径が縮径した円筒状をなしている。すなわち、接続筒１１ｃの遠位端には、径方向内側に突出する円環状の縮径部１１ｄが設けられている。
【００３４】
図３に示すように、接続筒１１ｃは、弁体１２によって閉塞されている。弁体１２は、弁体頭部１３と、弁体頭部１３を遠位端側に付勢する弾性部１４と、で構成されている。弁体頭部１３は、筒状の周壁１３ａと、周壁１３ａの遠位端を閉塞する天壁１３ｂと、周壁１３ａの近位端から径方向外側に突出するフランジ１３ｃと、を有している。周壁１３ａには、液体が通過可能な貫通口１３ｄが設けられている。貫通口１３ｄは、２つの貫通孔で構成されている。貫通口１３ｄを構成する貫通孔の数は適宜増減が可能である。貫通口１３ｄは、接続筒１１ｃの遠位端に設けられた縮径部１１ｄの内周面によって閉塞されている。フランジ１３ｃは、縮径部１１ｄの近位端面に当接している。
【００３５】
弾性部１４は、コイルばねで構成されている。弾性部１４は、その近位端がチューブ接続部１１ａの遠位端に当接する一方、その遠位端が弁体頭部１３の近位端に当接している。弁体１２は、弁体頭部１３が弾性部１４の付勢力に抗して近位端側に押し込まれることで、図４に示すように、接続筒１１ｃを開放することができる。弾性部１４は、コイルばねで構成されるものに限らず、例えば、弁体頭部１３に一体に連なる蛇腹状部で構成されてもよい。このように本実施形態では、コネクタ２の接続部５は、接続筒１１ｃと弁体１２とで構成されている。コネクタ２は、接続部５が開閉可能な閉鎖式コネクタとして構成されている。
【００３６】
図２、図３に示すように、コネクタ２の基部本体１１ｂの遠位端における外周縁には、切り欠きによって一対の係合片１５が形成された筒状の外周壁１６の軸方向一端部が一体に連なっている。外周壁１６は、一対の係合片１５と、外周壁本体１６ａと、一対の係合片１５をそれぞれ外周壁本体１６ａに揺動可能に連結するヒンジ１７と、で構成されている。ヒンジ１７は、それぞれ、係合片１５から外周壁１６の周方向一端側に延在する第１部分１７ａと、係合片１５から外周壁１６の周方向他端側に延在する第２部分１７ｂと、で構成されている。外周壁１６は接続筒１１ｃと同心に設けられている。一対の係合片１５は、接続筒１１ｃを挟んで互いに対向している。しかし、係合片１５の数は適宜増減が可能である。一対の係合片１５は、それぞれ、ヒンジ１７、外周壁本体１６ａ及び基部本体１１ｂを介して接続部５に連結されている。一対の係合片１５は、それぞれ、ヒンジ１７を中心として揺動可能である。このように、一対の係合片１５は、それぞれ、接続部５に揺動可能に連結されている。
【００３７】
一対の係合片１５は、それぞれ、その遠位端における内周面に凸部で構成された係合部１８を有している。また、一対の係合片１５は、それぞれ、ヒンジ１７より近位端側の部分における外周面に操作部１９を有している。一対の係合片１５の操作部１９は、それぞれ、係合片１５の外周面に設けられた凸部で構成されている。より具体的に、一対の操作部１９は、それぞれ、外周壁１６の周方向に延在する３本のリブで構成されている。一対の係合片１５の外周面には、それぞれ、外周壁１６の径方向に延在する１本の補強用リブ２０が設けられている。一対の補強用リブ２０は、それぞれ、係合片１５の遠位端から操作部１９の遠位端まで延在している。
【００３８】
一対の係合片１５は、操作部１９が外周壁１６の径方向内側に向かう押圧操作を受けることにより、ヒンジ１７を中心に、係合部１８が外周壁１６の径方向外側に移動するように揺動することができる。
【００３９】
図３に示すように、本実施形態では、コネクタ２のハウジング（弁体１２を除く部分）は、適宜の固着手段で一体化された３つの部材、すなわち、接続筒１１ｃの遠位端に設けられた縮径部１１ｄで構成される第１部材２１と、基部本体１１ｂの一部及びチューブ接続部１１ａで構成される第２部材２２と、その他の部分で構成される第３部材２３とで構成されている。しかし、コネクタ２のハウジングを構成する部材の数は、適宜変更が可能である。
【００４０】
第１部材２１、第２部材２２及び第３部材２３は、例えば、合成樹脂製であってよい。第１部材２１は、ゴム又はエラストマー製であってもよい。弁体頭部１３は、例えば、合成樹脂製であってよい。弁体１２の弾性部１４は、例えば、金属又は合成樹脂製であってよい。
【００４１】
図５、図６に示すように、キャップ３は、ハウジング２４とフィルタ２５とを有している。ハウジング２４は、接続口２６ａと、内腔２６ｂと、排出口２６ｃと、を有している。ハウジング２４には、接続口２６ａから内腔２６ｂを介して排出口２６ｃまで連なる流体の流路２６が形成されている。接続口２６ａは、本実施形態では、２つの貫通孔で構成されている。排出口２６ｃは、本実施形態では、６つの貫通孔で構成されている。接続口２６ａ及び排出口２６ｃを構成する貫通孔の数は、適宜増減が可能である。接続口２６ａ及び排出口２６ｃは、貫通孔で構成されるものに限られない。
【００４２】
フィルタ２５は、気体を透過させ且つ液体を透過させない機能を有する材質で形成され、流路２６の断面を覆うように流路２６に設けられている。したがって、液体と気体とで構成される流体が流路２６に流入すると、流体中の液体はフィルタ２５で堰き止められる一方、流体中の気体はフィルタ２５を透過して排出口２６ｃから外部に排出される。フィルタ２５は、本実施形態では内腔２６ｂに配置されているが、流路２６に設けられていれば、例えば、排出口２６ｃに（すなわち、排出口２６ｃをハウジング２４の外側から覆うように）配置されてもよい。
【００４３】
フィルタ２５は、その表面が疎水化処理された膜、又は疎水性膜（疎水膜）であってよい。このような疎水性膜の構成材料としては、例えば、ポリテトラフルオロエチレン（ＰＴＦＥ）、テトラフルオロエチレンとヘキサフルオロプロピレンの共重合体（ＦＥＰ）、テトラフルオロエチレンとパーフルオロアルキルビニルエーテルの共重合体（ＰＦＡ）、ポリフッ化ビニリデン（ＰＶＤＦ）等を用いることができる。フィルタ２５は、これらの材料を、延伸法、ミクロ相分離法、電子線エッチング法、焼結法、アルゴンプラズマ粒子等の方法で多孔質としたものが好適に用いられる。また、疎水化処理の方法は、特に限定されず、例えば、フィルタ２５の表面に疎水性を有する構成材料をコーティングする方法等を用いることもできる。さらに、フィルタ２５としては、気体を透過させ且つ液体を透過させない機能を有していれば上記構成のものに限らず、例えば親水性膜など他の材質のものを用いることもできる。
【００４４】
図６に示すように、ハウジング２４は、接続口２６ａを備えるとともに接続口２６ａをコネクタ２の接続部５に接続するために接続筒１１ｃに挿入可能な挿入筒２７を有している。図１２に示すように、挿入筒２７を接続筒１１ｃに挿入することにより、接続部５から流体（液体及び気体）が接続口２６ａに流入できるように接続口２６ａを接続部５に接続することができる。挿入筒２７は、近位端が閉塞した円筒状をなしており、その外周面に接続口２６ａを有している。また、挿入筒２７の外周面は、接続筒１１ｃの縮径部１１ｄの内周面に密接することができる。挿入筒２７を接続筒１１ｃに挿入することにより、挿入筒２７の近位端で弁体頭部１３を接続筒１１ｃの遠位端から近位端側に押し込み、接続口２６ａを、縮径部１１ｄを越える位置まで進入させて接続筒１１ｃの内部の流路に連通させることができる。この連通により、接続筒１１ｃの近位端に位置する流体は、弁体頭部１３の貫通口１３ｄを介して接続口２６ａに流入することができる。
【００４５】
図９、図１０に示すように、ハウジング２４は、キャップ３の接続口２６ａとコネクタ２の接続部５との非接続状態においてキャップ３がコネクタ２に取付けられた取付け状態を保持するようにコネクタ２（本実施形態では、係合片１５の係合部１８）と係合可能な第１係合部２８を有している。また、ハウジング２４は、図１１、図１２に示すように、キャップ３の接続口２６ａとコネクタ２の接続部５との接続状態においてキャップ３がコネクタ２に取付けられた取付け状態を保持するようにコネクタ２（本実施形態では、係合片１５の係合部１８）と係合可能な第２係合部２９を有している。
【００４６】
図１０に示すように、ハウジング２４は、キャップ３の接続口２６ａとコネクタ２の接続部５との非接続状態における、キャップ３がコネクタ２に取付けられた取付け状態において接続部５を包囲する包囲筒３０を有している。図５、図６に示すように、第１係合部２８及び第２係合部２９は、包囲筒３０の軸方向に並べて配置されている。第１係合部２８及び第２係合部２９は、それぞれ、包囲筒３０の外周面に設けられている。第１係合部２８及び第２係合部２９は、それぞれ、凸部で構成されている。本実施形態では、包囲筒３０は挿入筒２７と同心の円筒状をなしている。第１係合部２８及び第２係合部２９は、それぞれ、包囲筒３０の全周に亘って設けられた円環状の凸部で構成されている。
【００４７】
図５、図６に示すように、ハウジング２４は、中空円板状のハウジング本体３１を有している。ハウジング本体３１は、近位端から遠位端まで延在する軸心を有している。また、ハウジング本体３１は、挿入筒２７及び包囲筒３０と同心に設けられている。ハウジング本体３１の近位端に位置するとともに中央に貫通孔を有する円板状の第１端壁３１ａには、挿入筒２７の遠位端と、包囲筒３０の遠位端とが、それぞれ、一体に連結している。また、挿入筒２７の中空部は、第１端壁３１ａの中央の貫通孔を介してハウジング本体３１の中空部と連通している。したがって、挿入筒２７の中空部と、第１端壁３１ａの中央の貫通孔と、ハウジング本体３１の中空部とで内腔２６ｂが構成されている。ハウジング本体３１の遠位端に位置する円板状の第２端壁３１ｂには、排出口２６ｃを構成する６つの貫通孔が、ハウジング本体３１の軸心を中心とする周方向に等間隔で設けられている。第１端壁３１ａの外周縁と第２端壁３１ｂの外周縁とは、円筒状の筒壁３１ｃによって一体に連結されている。筒壁３１ｃの内周面には、その軸方向中間部に拡径部３１ｄが設けられている。
【００４８】
拡径部３１ｄの近位端に位置する円環状の端面には、フィルタ２５の近位端面における外周縁が適宜の手段によって固着されている。しかし、フィルタ２５は、拡径部３１ｄの遠位端に位置する円環状の端面に固着されてもよい。フィルタ２５を、拡径部３１ｄの近位端に位置する円環状の端面と第１端壁３１ａよりも遠位側に位置する円環状の端面とで挟持する構成としてもよい。
【００４９】
図７に示すように、第１端壁３１ａの内面には、ハウジング本体３１の軸心から放射状に延在する６つの第１端リブ３１ｅが設けられている。６つの第１端リブ３１ｅは、それぞれ、フィルタ２５が近位端側に撓んだ際にフィルタ２５を支持可能な遠位端面を有している。図８に示すように、第２端壁３１ｂの内面には、ハウジング本体３１の軸心から放射状に延在する６つの第２端リブ３１ｆが設けられている。６つの第２端リブ３１ｆは、それぞれ、フィルタ２５が遠位端側に撓んだ際にフィルタ２５を支持可能な近位端面を有している。６つの第２端リブ３１ｆは、ハウジング本体３１の軸心において互いに一体に連結している。図６に示すように、周方向に隣接する第２端リブ３１ｆの間には、それぞれ、排出口２６ｃを構成する１つの貫通孔が配置されている。６つの第２端リブ３１ｆと６つの第１端リブ３１ｅとは、ハウジング本体３１の軸方向に並ぶように配置されている。第１端リブ３１ｅ及び第２端リブ３１ｆは、排出口２６ｃを構成する貫通孔の数に合わせて６つずつ設けられているが、これらの数は、排出口２６ｃを構成する貫通孔の数に合わせて適宜増減が可能である。第１端リブ３１ｅ及び第２端リブ３１ｆを設けない構成としてもよい。
【００５０】
図５、図６に示すように、ハウジング本体３１の遠位端における外周縁には、径方向外側に延在するフランジ壁３２が一体に連結している。フランジ壁３２は円環状をなしており、その外周縁には、遠位端側に延在する円筒状の外壁３３が一体に連結している。図１２に示すように、フランジ壁３２は、円筒状をなす外周壁本体１６ａの遠位端の内周面より大きい外径を有している。ハウジング本体３１の筒壁３１ｃは、キャップ３の接続口２６ａとコネクタ２の接続部５との接続状態において外周壁本体１６ａの遠位端に包囲されるように構成されている。
【００５１】
図６〜図８に示すように、本実施形態では、ハウジング２４は、適宜の固着手段で一体化された２つの部材、すなわち、筒壁３１ｃの一部、フランジ壁３２の一部及び外壁３３の一部で構成される第１部材３４と、その他の部分で構成される第２部材３５とで構成されている。しかし、ハウジング２４を構成する部材の数は、適宜変更が可能である。第１部材３４及び第２部材３５は、それぞれ、合成樹脂の射出成形によって形成することができる。しかし、第１部材３４及び第２部材３５の材料及び成形方法は適宜変更が可能である。
【００５２】
本実施形態に係るキャップ付きコネクタ１は、図９、図１０に示されるように、キャップ３のハウジング２４に、キャップ３の接続口２６ａとコネクタ２の接続部５との非接続状態においてキャップ３がコネクタ２に取付けられた取付け状態を保持するようにコネクタ２と係合可能な第１係合部２８が設けられている。したがって、液体流路４のプライミングを行う前から第１係合部２８を介してコネクタ２へのキャップ３の取付け状態を保持することができるので、液体流路４のプライミングを行う際にキャップ３をコネクタ２に取付ける手間を省けるため、簡易な操作でプライミングを行うことができる。
【００５３】
本実施形態に係るキャップ付きコネクタ１は、図１１、図１２に示されるように、キャップ３のハウジング２４に、キャップ３の接続口２６ａとコネクタ２の接続部５との接続状態においてキャップ３がコネクタ２に取付けられた取付け状態を保持するようにコネクタ２と係合可能な第２係合部２９を有している。したがって、液体流路４のプライミングを行っているときに、第２係合部２９を介してコネクタ２へのキャップ３の取付け状態を保持することができるので、簡易な操作でプライミングを行うことができる。
【００５４】
本実施形態に係るキャップ付きコネクタ１は、コネクタ２に係合片１５が設けられ、係合片１５に係合部１８が設けれ、接続部５に対する係合片１５の揺動によって係合部１８と第２係合部２９との係合を解除可能である。したがって、液体流路４のプライミングが完了した後に、係合部１８と第２係合部２９との係合を解除して、図１３に示すように、キャップ３をコネクタ２から取外し、コネクタ２を所望の流路に接続可能な状態にすることができる。
【００５５】
本実施形態に係るキャップ付きコネクタ１は、係合片１５に操作部１９を有している。したがって、液体流路４のプライミングが完了した後に、操作部１９を操作することで容易に、係合部１８と第２係合部２９との係合を解除することができる。
【００５６】
本実施形態に係るキャップ付きコネクタ１は、係合片１５の係合部１８が第１係合部２８と係合可能である。したがって、第２係合部２９と係合可能な係合部１８を第１係合部２８との係合にも兼用した簡素な構成を実現することができる。
【００５７】
本実施形態に係るキャップ付きコネクタ１は、キャップ３のハウジング２４に包囲筒３０を設けている。したがって、キャップ３の接続口２６ａとコネクタ２の接続部５との非接続状態における、キャップ３がコネクタ２に取付けられた取付け状態において、包囲筒３０で接続部５を包囲して、接続部５への汚染物質等の付着を抑制することができる。
【００５８】
本実施形態に係るキャップ付きコネクタ１は、キャップ３の包囲筒３０に第１係合部２８及び第２係合部２９が設けられているので、簡素な構成を実現することができる。
【００５９】
本実施形態に係るキャップ付きコネクタ１は、キャップ３の包囲筒３０の外周面に第１係合部２８及び第２係合部２９が設けられているので、簡素な構成を実現することができる。
【００６０】
本実施形態に係るキャップ付きコネクタ１は、キャップ３の第１係合部２８が凸部で構成されているので、簡素な構成を実現することができる。
【００６１】
本実施形態に係るキャップ付きコネクタ１は、コネクタ２の接続部５に接続筒１１ｃが設けられ、キャップ３のハウジング２４に、接続口２６ａを備える挿入筒２７が設けられている。したがって、キャップ３の接続口２６ａをコネクタ２の接続部５に安定して接続できる簡素な構成を実現することができる。
【００６２】
本実施形態に係るキャップ３は、図１４に示すように、ハウジング２４に回転阻止部３６が設けられた構成としてもよい。図１４は、キャップ付きコネクタ１の変形例を示す斜視図である。本変形例において、回転阻止部３６は、キャップ３の接続口２６ａとコネクタ２の接続部５との非接続状態における、キャップ３がコネクタ２に取付けられた取付け状態において包囲筒３０の軸心を中心とするコネクタ２に対するハウジング２４（より具体的には第１係合部２８）の回転を阻止するようにコネクタ２と係合可能である。このような構成によれば、第１係合部２８をハウジング２４の全周に亘って設ける必要がなくなる。本変形例では、回転阻止部３６は、包囲筒３０の外周面に設けられている。回転阻止部３６は、コネクタ２に設けられた一対の係合片１５の係合部１８の周方向両端にそれぞれ当接可能な段部で構成されている。
【００６３】
本変形例では、ハウジング２４には、他の回転阻止部３７が設けられている。回転阻止部３７は、キャップ３の接続口２６ａとコネクタ２の接続部５との接続状態における、キャップ３がコネクタ２に取付けられた取付け状態において包囲筒３０の軸心を中心とするコネクタ２に対するハウジング２４（より具体的には第２係合部２９）の回転を阻止するようにコネクタ２と係合可能である。このような構成によれば、第２係合部２９をハウジング２４の全周に亘って設ける必要がなくなる。本変形例では、回転阻止部３７は、包囲筒３０の外周面に設けられている。回転阻止部３７は、コネクタ２に設けられた一対の係合片１５の係合部１８の周方向両端にそれぞれ当接可能な段部で構成されている。
【００６４】
次に、本発明の一実施形態に係るキャップ付きコネクタの使用方法について、詳細に例示説明する。
【００６５】
本実施形態では、図１〜図１３を用いて説明したキャップ付きコネクタ１を用いる場合について説明する。しかし、本実施形態で用いるキャップ付きコネクタ１には、前述した変更を含めた種々の変更が可能である。
【００６６】
本実施形態に係るキャップ付きコネクタの使用方法は、図１５に示すように、接続ステップＳ１と、プライミングステップＳ２と、取外しステップＳ３と、を有している。
【００６７】
本実施形態では、まず、接続ステップＳ１が行われる。接続ステップＳ１は、図１０に示すような、キャップ３の接続口２６ａとコネクタ２の接続部５との非接続状態においてキャップ３がコネクタ２に取付けられた取付け状態を保持するように第１係合部２８がコネクタ２（本実施形態では係合片１５の係合部１８）と係合した第１係合状態から、図１２に示すような、キャップ３の接続口２６ａがコネクタ２の接続部５に接続された接続状態にするステップである。より具体的には、接続ステップＳ１においては、第１係合状態から、キャップ３の接続口２６ａがコネクタ２の接続部５に接続された接続状態においてキャップ３がコネクタ２に取付けられた取付け状態を保持するように第２係合部２９がコネクタ２（本実施形態では係合片１５の係合部１８）と係合した第２係合状態にされる。
【００６８】
本実施形態では、接続ステップＳ１においては、第１係合状態から、キャップ３をコネクタ２に向けて捩らずに真っ直ぐ押し付ける操作により、第２係合状態にされる。一対の係合片１５の係合部１８は、それぞれ、包囲筒３０の軸方向に沿って、近位端側から遠位端側に向けて第２係合部２９に押し付けられることで、係合部１８が径方向外側に移動するように一対の係合片１５を揺動させて、第２係合部２９を乗り越えることができる。一対の係合片１５の係合部１８の遠位端面には、このような乗り越えを生じるための傾斜面が設けられている。このような乗り越えを生じるために、一対の係合片１５の係合部１８の遠位端面に替えて、又は加えて、第２係合部２９の近位端面に傾斜面を設けてもよい。本実施形態では、第１係合状態から、キャップ３のフランジ壁３２が外周壁本体１６ａの遠位端面に当接するまでキャップ３を押し込むことにより、一対の係合片１５の係合部１８を第２係合部２９に係合させて、第２係合状態にすることができる。
【００６９】
本実施形態では、接続ステップＳ１に次いで、プライミングステップＳ２が行われる。プライミングステップＳ２においては、図１２に示されるように、液体流路４のプライミングが終了するまで、キャップ３の接続口２６ａがコネクタ２の接続部５に接続された接続状態（本実施形態では第２係合状態）が保持される。このとき、接続口２６ａから内腔２６ｂに流入した気体は、フィルタ２５を透過して排出口２６ｃから外部へ排出される。液体流路４からの気体の排出が進み、液体が接続口２６ａに到達して内腔２６ｂに流入すると、この液体は、フィルタ２５を透過できずにフィルタ２５によって堰き止められる。このようにして液体流路４のプライミングが終了する。
【００７０】
本実施形態では、プライミングステップＳ２に次いで、取外しステップＳ３が行われる。取外しステップＳ３においては、キャップ３の接続口２６ａがコネクタ２の接続部５に接続された接続状態から、図１３に示すように、キャップ３がコネクタ２から取外される。より具体的には、取外しステップＳ３においては、第２係合状態から、第２係合部２９とコネクタ２（本実施形態では係合片１５の係合部１８）との係合が解除されて、キャップ３がコネクタ２から取外される。このとき、係合片１５の操作部１９を径方向内側に押圧する操作により、係合片１５の係合部１８を径方向外側に移動させて、係合部１８と第２係合部２９との係合を容易に解除することができる。
【００７１】
本実施形態に係るキャップ付きコネクタの使用方法によれば、接続ステップＳ１を第１係合状態から行うようにしているので、液体流路４のプライミングを行う際にキャップ３を新たにコネクタ２に取付ける手間を省けるため、簡易な操作でプライミングを行うことができる。
【００７２】
前述した本実施形態は、本発明の実施形態の一例にすぎず、発明の要旨を逸脱しない範囲で種々変更可能であることはいうまでもない。
【符号の説明】
【００７３】
１  キャップ付きコネクタ
２  コネクタ
３  キャップ
４  液体流路
５  接続部
６  輸液ライン
７  輸液バッグ
８  輸液バッグ用コネクタ
９  チューブ
１０  クレンメ
１１  基部
１１ａ  チューブ接続部
１１ｂ  基部本体
１１ｃ  接続筒
１１ｄ  縮径部
１２  弁体
１３  弁体頭部
１３ａ  周壁
１３ｂ  天壁
１３ｃ  フランジ
１３ｄ  貫通口
１４  弾性部
１５  係合片
１６  外周壁
１６ａ  外周壁本体
１７  ヒンジ
１７ａ  第１部分
１７ｂ  第２部分
１８  係合部
１９  操作部
２０  補強用リブ
２１  第１部材
２２  第２部材
２３  第３部材
２４  ハウジング
２５  フィルタ
２６  流路
２６ａ  接続口
２６ｂ  内腔
２６ｃ  排出口
２７  挿入筒
２８  第１係合部
２９  第２係合部
３０  包囲筒
３１  ハウジング本体
３１ａ  第１端壁
３１ｂ  第２端壁
３１ｃ  筒壁
３１ｄ  拡径部
３１ｅ  第１端リブ
３１ｆ  第２端リブ
３２  フランジ壁
３３  外壁
３４  第１部材
３５  第２部材
３６  回転阻止部
３７  他の回転阻止部
【図１】
2020084901.tif 000003
【図２】
2020084901.tif 000004
【図３】
2020084901.tif 000005
【図４】
2020084901.tif 000006
【図５】
2020084901.tif 000007
【図６】
2020084901.tif 000008
【図７】
2020084901.tif 000009
【図８】
2020084901.tif 000010
【図９】
2020084901.tif 000011
【図１０】
2020084901.tif 000012
【図１１】
2020084901.tif 000013
【図１２】
2020084901.tif 000014
【図１３】
2020084901.tif 000015
【図１４】
2020084901.tif 000016
【図１５】
2020084901.tif 000017
【国際調査報告】
2020084901.tif 000018
2020084901.tif 000019
2020084901.tif 000020
2020084901.tif 000021